(57)【要約】【課題】画像解析技術に基く自動撮影時に撮影される側にかかる負担を軽減することを可能とする。【解決手段】自動撮影モードにおいて制御部３は、画像認識処理部９によってフレーム内に存在する任意の人物の笑顔を検出し、それが検出できたことをトリガとして自動的に撮影動作を行う。その際、制御部３は、ストロボ回路８を制御し、撮影補助光を必要とする場合には通常の撮影補助光を発光させ、撮影補助光を必要としない場合には、露光期間の終了後に、発光量を撮影補助光の制御範囲よりも少ない光量に制御した微少発光動作を行わせ発光量が微少な報知光を発光させる。報知光により、撮影される側の者は、どのタイミングで撮影が行われたのか、さらには本当に撮影が行われたのかを知ることができ、顔の表情、さらには撮影用の姿勢やポーズを必要以上に長い間維持する必要がなくなる。【選択図】      図１
2010016686.tif 000002
【特許請求の範囲】
【請求項１】
撮像手段と、この撮像手段により撮像された被写体の画像に対して画像解析を行い画像内における所定の被写体の有無を検出する検出手段とを備え、この検出手段により所定の被写体が検出されたことをトリガとした自動撮影を行う自動撮影機能が設けられたカメラ装置において、
前記被写体に向けて撮影補助光を照射する発光手段と、
前記自動撮影機能による自動撮影が行われたことを知らせる報知光の発光動作を前記発光手段に行わせる報知制御手段と
を備えたことを特徴とするカメラ装置。
【請求項２】
前記報知制御手段は、前記自動撮影時における露光時間の終了後に、前記報知光の発光動作を発光手段に行わせることを特徴とする請求項１記載のカメラ装置。
【請求項３】
撮影モードとして、前記発光手段による撮影補助光の照射を被写体の明るさに関係なく発光させる強制発光モードが設けられ、
前記報知制御手段は、前記強制発光モードでは前記自動撮影時における前記発光手段による報知光の発光動作を中止する
ことを特徴とする請求項１又は２記載のカメラ装置。
【請求項４】
撮影モードとして、前記発光手段による撮影補助光の照射の要否を被写体の明るさに基づき設定する自動発光モードが設けられ、
前記報知制御手段は、前記自動発光モードで、前記撮影補助光の照射が不用として設定されている場合に前記発光手段に報知光の発光動作を行わせる
ことを特徴とする請求項１又は２，３記載のカメラ装置。
【請求項５】
撮影モードとして、前記発光手段による撮影補助光の照射を被写体の明るさに関係なく禁止する発光禁止モードが設けられ、
前記報知制御手段は、前記発光禁止モードでは前記自動撮影時における前記発光手段による報知光の発光動作を中止する
ことを特徴とする請求項１乃至４いずれか記載のカメラ装置。
【請求項６】
前記検出手段は、前記撮像手段により撮像された被写体の画像に対し、少なくとも人物の顔、人物の笑顔、動体のいずれか１つを検出対象とした画像解析を行うことを特徴とする請求項１乃至５いずれか記載のカメラ装置。
【請求項７】
前記自動撮影機能による自動撮影を、所定の条件を満足する間に繰り返し実行させる撮影制御手段を備えたことを特徴とする請求項１乃至６いずれか記載のカメラ装置。
【請求項８】
撮像手段と、この撮像手段により撮像された被写体の画像に対して画像解析を行い画像内における所定の被写体の有無を検出する検出手段とを備え、この検出手段により所定の被写体が検出されたことをトリガとした自動撮影を行う自動撮影機能が設けられたカメラ装置において、
前記自動撮影機能による自動撮影時が行われたとき、被写体に向けて撮影補助光を照射する発光手段に前記自動撮影が行われたことを知らせる報知光の光動作動作を行わせることを特徴とする撮影報知方法。
【請求項９】
撮像手段と、この撮像手段により撮像された被写体の画像に対して画像解析を行い画像内における所定の被写体の有無を検出する検出手段とを備え、この検出手段により所定の被写体が検出されたことをトリガとした自動撮影を行う自動撮影機能が設けられたカメラ装置が有するコンピュータを、
前記被写体に向けて撮影補助光を照射する発光手段に、前記自動撮影機能による自動撮影が行われたことを知らせる報知光の発光動作を行わせる報知制御手段として機能させることを特徴とする撮影報知プログラム。
【発明の詳細な説明】
【技術分野】
【０００１】
本発明は、被写体内で人物の顔等が認識できたことをトリガとして自動的に撮影を行う自動撮影機能を備えたカメラ装置、及びその撮影報知方法、撮影報知プログラムに関するものである。
【背景技術】
【０００２】
従来、デジタルカメラにおいては、一般的なセルフタイマー撮影とは異なる自動撮影機能として、例えば被写体となっている人物の笑顔を画像解析により検出し、笑顔が検出できたことをトリガとして自動的に撮影を行うものが知られている（例えば下記特許文献１参照）。係る自動撮影機能を用いれば、誰もがシャッターチャンスを逃すことなく人物の笑顔を簡単に撮影することができる。
【特許文献１】特開２００６−２３７８０３号公報
【発明の開示】
【発明が解決しようとする課題】
【０００３】
しかしながら、上記のような自動撮影機能を用いた撮影時には、被写体となっている者にあっては、どのタイミングで撮影が行われたのか、さらには本当に撮影が行われたのかを直ちに確認することができない。そのため撮影者にとっては便利であるが、撮影される側の者にあっては、例えば顔の表情、さらには撮影用の姿勢やポーズを必要以上に長い間維持し続けなければならない。係ることから所望する内容の写真撮影を確実に行うことができる反面、撮影時には撮影される側の負担が増すという問題があった。
【０００４】
本発明は、かかる従来の課題に鑑みてなされたものであり、画像解析技術に基く自動撮影時に撮影される側にかかる負担を軽減することができるカメラ装置、及びその撮影報知方法、撮影報知プログラムを提供することを目的とする。
【課題を解決するための手段】
【０００５】
前記課題を解決するため請求項１記載の発明に係るカメラ装置にあっては、撮像手段と、この撮像手段により撮像された被写体の画像に対して画像解析を行い画像内における所定の被写体の有無を検出する検出手段とを備え、この検出手段により所定の被写体が検出されたことをトリガとした自動撮影を行う自動撮影機能が設けられたカメラ装置において、前記被写体に向けて撮影補助光を照射する発光手段と、前記自動撮影機能による自動撮影が行われたことを知らせる報知光の発光動作を前記発光手段に行わせる報知制御手段とを備えたことを特徴とする。
【０００６】
また、請求項２記載の発明に係るカメラ装置にあっては、前記報知制御手段は、前記自動撮影時における露光時間の終了後に、前記報知光の発光動作を発光手段に行わせることを特徴とする。
【０００７】
また、請求項３記載の発明に係るカメラ装置にあっては、撮影モードとして、前記発光手段による撮影補助光の照射を被写体の明るさに関係なく発光させる強制発光モードが設けられ、前記報知制御手段は、前記強制発光モードでは前記自動撮影時における前記発光手段による報知光の発光動作を中止することを特徴とする。
【０００８】
また、請求項４記載の発明に係るカメラ装置にあっては、撮影モードとして、前記発光手段による撮影補助光の照射の要否を被写体の明るさに基づき設定する自動発光モードが設けられ、前記報知制御手段は、前記自動発光モードで、前記撮影補助光の照射が不用として設定されている場合に前記発光手段に報知光の発光動作を行わせることを特徴とする。
【０００９】
また、請求項５記載の発明に係るカメラ装置にあっては、撮影モードとして、前記発光手段による撮影補助光の照射を被写体の明るさに関係なく禁止する発光禁止モードが設けられ、前記報知制御手段は、前記発光禁止モードでは前記自動撮影時における前記発光手段による報知光の発光動作を中止することを特徴とする。
【００１０】
また、請求項６記載の発明に係るカメラ装置にあっては、前記検出手段は、前記撮像手段により撮像された被写体の画像に対し、少なくとも人物の顔、人物の笑顔、動体のいずれか１つを検出対象とした画像解析を行うことを特徴とする。
【００１１】
また、請求項７記載の発明に係るカメラ装置にあっては、前記自動撮影機能による自動撮影を、所定の条件を満足する間に繰り返し実行させる撮影制御手段を備えたことを特徴とする。
【００１２】
また、請求項８記載の発明に係る撮影報知方法にあっては、撮像手段と、この撮像手段により撮像された被写体の画像に対して画像解析を行い画像内における所定の被写体の有無を検出する検出手段とを備え、この検出手段により所定の被写体が検出されたことをトリガとした自動撮影を行う自動撮影機能が設けられたカメラ装置において、前記自動撮影機能による自動撮影時が行われたとき、被写体に向けて撮影補助光を照射する発光手段に前記自動撮影が行われたことを知らせる報知光の光動作動作を行わせることを特徴とする。
【００１３】
また、請求項９記載の発明に係る撮影報知プログラムにあっては、撮像手段と、この撮像手段により撮像された被写体の画像に対して画像解析を行い画像内における所定の被写体の有無を検出する検出手段とを備え、この検出手段により所定の被写体が検出されたことをトリガとした自動撮影を行う自動撮影機能が設けられたカメラ装置が有するコンピュータを、前記被写体に向けて撮影補助光を照射する発光手段に、前記自動撮影機能による自動撮影が行われたことを知らせる報知光の発光動作を行わせる報知制御手段として機能させることを特徴とする。
【発明の効果】
【００１４】
本発明によれば、画像解析技術に基く自動撮影時に撮影される側にかかる負担を軽減することが可能となる。
【発明を実施するための最良の形態】
【００１５】
以下、本発明の一実施の形態を図にしたがって説明する。図１は、本発明に係るデジタルカメラの概略構成を示すブロック図である。このデジタルカメラは自動撮影機能を備えたものであって、以下の各部を有している。
【００１６】
すなわちデジタルカメラは、撮像手段であるＣＣＤ１と、ＣＣＤ１の駆動回路やＣＣＤ１の出力信号（撮像信号）をデジタルデータに変換し、変換後のデジタルデータに種々の処理を施し、ＣＣＤ１により撮像された被写体の画像データ（ＹＵＶデータ）を生成するための種々の信号処理回路を含む撮影処理部２を備えている。
【００１７】
撮影処理部２で生成された画像データは制御部３へ送られ、記録モードでは最終的にファイルアクセス部４を介して画像記録部５に画像ファイルとして記録される。画像記録部５はデジタルカメラに着脱自在な各種のメモリカード等の任意の記録媒体であり、ファイルアクセス部４は、その記録媒体への画像データの入出力を行うためのインターフェース回路である。
【００１８】
制御部３は、主としてＣＰＵ及びその周辺回路によって構成されており、デジタルカメラの全体を制御する。また、制御部３には、画像データの圧縮伸張を行うためのＣＯＤＥＣ（coder-decoder）が含まれており、記録モードでの画像データの圧縮処理、及び記録画像の再生時における圧縮データの伸張処理も制御部３において行われる。
【００１９】
また、デジタルカメラはＬＣＤ表示部６、キー入力部７、ストロボ回路（発光手段）８、画像認識処理部９、プログラムメモリ１０、ＲＡＭ１１を有している。
【００２０】
ＬＣＤ表示部６は、再生モードにおいては画像記録部５から読み出された画像データに基づく画像を表示し、記録モードにおける撮影待機状態では、前記撮影処理部２により生成された画像データに基づき被写体のスルー画像を表示することによって電子ビューファインダとして機能する。また、ＬＣＤ表示部６は、ユーザーがデジタルカメラの動作内容を設定するための種々の設定画面を必要に応じて表示する。
【００２１】
キー入力部７は、デジタルカメラの動作モードを撮影用の記録モードと記録画像の表示用の再生モードとに切り替えるモード切替キーやシャッターキー等の複数のキーにより構成されており、各キーの操作状態は制御部３によって逐次検出される。なお、シャッターキーは、半押し操作（ハーフシャッター）と全押し操作との２段階操作が可能な所謂ハーフシャッター機能を備えたものであり、記録モードでは半押し操作がＡＥ動作の開始トリガとなる。
【００２２】
ストロボ回路８は、キセノン管等の発光管、及び発光用コンデンサ、その充電回路、発光管の駆動回路を含み、制御部３からの命令に従い要求に応じて発光管を駆動し撮影補助光を発光する本発明の発光手段である。
【００２３】
画像認識処理部９は、ＣＣＤ１により撮像され撮影処理部２によって生成された被写体の画像データ（以下、被写体画像という）に対して二値化や輪郭抽出、パターンマッチング等による画像認識処理を行うとともに被写体画像から任意の人物の笑顔を検出する笑顔検出を行い、その検出結果を制御部３へ出力する本発明の検出手段である。
【００２４】
プログラムメモリ１０は記憶データの書き換えが可能な不揮発性メモリであって、プログラムメモリ１０には、制御部３（直接的にはＣＰＵ）に上述した各部を制御させるための各種の制御プログラムや、それに付随する各種のデータが記憶されている。
【００２５】
制御プログラムとしては、撮影時における絞り値（図で省略した絞り機構の開度）やシャッタースピード、ＩＳＯ感度の組み合わせによるＡＥ（自動露出）制御を行わせるためのプログラムや、ストロボ発光の有無及び発光量の制御に関するプログラムが含まれている。特に本実施形態においては、後述する処理を行わせることによって制御部３を本発明の報知制御手段、撮影制御手段として機能させるための撮影報知プログラムが含まれている。
【００２６】
さらに、プログラムメモリ１０には、前記画像認識処理部９が前述したように被写体の画像データ（被写体画像）から任意の人物の笑顔を検出する際に使用されるデータであって、任意の人物の笑顔に関する輪郭や色等のモデルパターンのデータも記憶されている。なお、係るデータは、例えば前記画像記録部５（メモリカード等）に記憶されていても構わない。
【００２７】
ＲＡＭ１１は、制御部３の作業用のメモリであって、前述したデジタルカメラの制御に際して生成されるデータが記録されるととともに、制御部３による画像データの圧縮伸張時における圧縮前のＹＵＶデータや、伸張後のＹＵＶデータ等も記憶される。
【００２８】
次に以上の構成からなるデジタルカメラにおいて、記録モードの下位モードとして予め用意されているオートシャッターモードが設定されたときの動作を説明する。ここでオートシャッターモードの概略について先に説明する。オートシャッターモードは、デジタルカメラがフレーム内に存在する任意の人物の笑顔を検出し、それが検出できたことをトリガとして自動的に撮影を行うとともに、係る自動撮影を予め決められている最大撮影枚数に応じた回数を上限として繰り返し行う撮影モードである。
【００２９】
以下、具体的な動作をオートシャッターモードが設定されたときの制御部３の処理手順を示す図２及び図３のフローチャートに従い説明する。
【００３０】
図２に示したように、オートシャッターモードが設定されると、制御部３は直ちにＣＣＤ１による撮像、及びＬＣＤ表示部６におけるスルー画像の表示を開始するとともに、それ目的とする被写体の明るさに応じた撮像時の露出追従を開始する（ステップＳ１）。以後、ユーザーによってハーフシャッターが押されるまで（ステップＳ２でＮＯ）、所定のフレームレートによるスルー画像の表示（更新）、及び露出追従を繰り返す。
【００３１】
やがてハーフシャッターが押されたら（ステップＳ２でＹＥＳ）、撮影に向けた露出設定値の演算を行い、絞り値とＩＳＯ感度とシャッタースピードの各値を決定し（ステップＳ３）、絞りの状態を決定した絞り値に実際に制御する（ステップＳ４）。
【００３２】
引き続き、その時点でストロボモードとして、予め用意されている「ＡＵＴＯ」、「ＯＮ」、「ＯＦＦ」の３種類のいずれのモードが設定されているかを確認し（ステップＳ５）、確認したモードに応じて以下の処理を行う。ここで、ＡＵＴＯモードは、被写体の明るさに応じて、必要な場合に必要な量だけストロボ光を発光するモード（自動発光モード）であり、ＯＮモードは、被写体の明るさに関係なく撮影時にストロボ光を強制発光するモード（強制発光モード）、ストロボモードのＯＦＦモードは、被写体の明るさに関係なく撮影時にストロボ光の発光を禁止するモード（発光禁止モード）である。
【００３３】
ストロボモードがＯＮモード、又はＡＵＴＯモードに設定されているときには（ステップＳ５で「ＯＮ」ｏｒ「ＡＵＴＯ」）、直ちにストロボ充電、つまり前記ストロボ回路８における発光用コンデンサの充電を開始させる（ステップＳ６）。その後、発光用コンデンサのフル充電が完了したら（ステップＳ７でＹＥＳ）、ストロボ充電を停止した後（ステップＳ８）、オートシャッター機能による撮影待機状態に移行する（ステップＳ９）。
【００３４】
また、ストロボモードがＯＦＦモードに設定されているときときには（ステップＳ５で「ＯＦＦ」）、直ちに撮影待機状態に移行する（ステップＳ９）。なお、図示しないが、制御部３は撮影待機状態への移行と同時に、画像認識処理部９に、ＣＣＤ１によって逐次取得される被写体画像を対象とする笑顔検出を開始させる。
【００３５】
一方、撮影待機状態において制御部３は、ハーフシャッターの解除の有無を逐次確認するとともに（ステップＳ１０）、画像認識処理部９が被写体画像からの笑顔の検出に成功した時点をキャプチャタイミングとして、それが到来したか否かを逐次確認し（ステップＳ１１）、ハーフシャッターが解除されたら（ステップＳ１０でＹＥＳ）、その時点で処理を終了する。なお、その後は、ステップＳ１以降の処理を最初から実行する。
【００３６】
また、撮影待機状態で上記キャプチャタイミングが到来したら（ステップＳ１１でＹＥＳ）、それを撮影開始トリガとして引き続き図３に示した以下の処理を実行する。まず、撮影待機状態への移行後においても被写体の明るさが変化する場合があるため、その時点で絞り値を除いた撮影用の露出設定値（ＩＳＯ感度とシャッタースピード）を再度演算（決定）する（ステップＳ１２）。つまり絞り値を直前の値に固定した絞り優先モードによる露出制御を実施することにより、絞りの変更に要する機構的な動作時間によって撮影タイムラグが生じることを防止する。
【００３７】
なお、上記演算処理に際しては、手ぶれの心配がない既定値（１／６０秒等）以上のシャッタースピードとＩＳＯ感度との組み合わせを演算する一方、既定値以上のシャッタースピードが確保できない場合には、ストロボモードがＡＵＴＯモードに設定されている場合に限り、ストロボ発光によって上記シャッタースピードを確保するものとし、予め決められた規則に従ってシャッタースピードとＩＳＯ感度とストロボ光の発光量（発光時間）との組み合わせを決定する。
【００３８】
引き続き、その時点で設定されているストロボモードを確認するとともに（ステップＳ１３）、モードに応じて以下の処理を行う。ここでＯＮモードが設定されている場合には、ステップＳ１２で決定したシャッタースピードによる露光を開始し（ステップＳ１５）、その露光中にストロボ回路８においてストロボ光を発光させるとともに、その発光時間を制御する調光発光を行い（ステップＳ１６）、露光時間の経過を待って露光を終了する（ステップＳ１７）。しかる後、撮像した被写体画像の画像データの転送、及び画像記録部５への記録を行い１回の撮影動作（ストロボ撮影）を終了する（ステップＳ２３）。
【００３９】
図４（ａ）は、ステップＳ１６の調光発光が行われるときのストロボ光の発光タイミング（オンオフタイミング）及び発光時間を示した図である。調光発光に際してはストロボ光の発光時間（発光パルス幅）を被写体に適した時間であって、ステップＳ１３で決定した時間、例えば２０μｓｅｃ〜３ｍｓｅｃの時間に制御する。
【００４０】
また、ＡＵＴＯモードが設定されている場合には、さらに発光が必要か否かを確認し、必要であれば（ステップＳ１４でＹＥＳ）、前述したＯＮモードの場合と同様の処理を行う。
【００４１】
逆に、ＡＵＴＯモードで発光が不用な状態の場合には（ステップＳ１４でＮＯ）、まずステップＳ１２で決定したシャッタースピードによる露光を開始し（ステップＳ１８）、露光時間の経過を待って露光を終了する（ステップＳ１９）。引き続き、直ちにストロボ回路８においてストロボ光を微少発光させた後（ステップＳ２０）、撮像した被写体画像の画像データの転送、及び画像記録部５への記録を行い１回の撮影動作（非ストロボ撮影）を終了する（ステップＳ２３）。つまりストロボ光を微少発光させることにより、被写体となっている撮影される側の者に対して撮影タイミングと、及び本当に撮影が行われたことを知らせる。
【００４２】
図４（ｂ）は、上記の微少発光が行われるときのストロボ光の発光タイミング（オンオフタイミング）及び発光時間を示した図である。このときのストロボ光が本発明の報知光である。上記微少発光に際してはストロボ光の発光時間（発光パルス幅）を予め決められている時間であって、ストロボ回路８における発光管を安定して発光させることができる最小発光時間、例えば調光発光時の制御範囲が前述した２０μｓｅｃ〜３ｍｓｅｃの範囲であれば、その下限未満の時間（１０μｓｅｃ〜２０μｓｅｃ程度）に制御する。
【００４３】
また、ストロボモードとしてＯＦＦモードが設定されている場合には、ステップＳ１２で決定したシャッタースピードによる露光を開始し（ステップＳ２１）、露光時間の経過を待って露光を終了する（ステップＳ２２）。しかる後、撮像した被写体画像の画像データの転送、及び画像記録部５への記録を行い１回の撮影動作（非ストロボ撮影）を終了する（ステップＳ２３）。
【００４４】
そして、上述したストロボ撮影または非ストロボ撮影によって１回の撮影動作を終了した後には、最大撮影枚数（予め決められている撮影回数）の撮影が終了したか否かを確認し、未だ終了していなければ（ステップＳ２４でＮＯ）、図２のステップＳ５へ戻り、それ以降の前述した全ての処理を繰り返す。その後、最大撮影枚数の撮影が終了したら（ステップＳ２４でＹＥＳ）、その時点でオートシャッターモードによる処理を終了する。
【００４５】
以上のようにオートシャッターモードでは、ストロボモードがＡＵＴＯモードであった場合の非ストロボ撮影時には、前述した微少発光動作（ステップＳ２０）によって、通常の撮影補助光とは異なるストロボ光（報知光）が発光されることにより、撮影される側の者は、どのタイミングで撮影が行われたのか、さらには本当に撮影が行われたのかを知ることができる。したがって、撮影される側の者は、顔の表情、さらには撮影用の姿勢やポーズを必要以上に長い間維持する必要がなく、撮影時の負担を軽減されることとなる。
【００４６】
また、本実施形態では、非ストロボ撮影時であってもストロボモードがＡＵＴＯモードでない場合、つまりＯＦＦモードに設定されている場合には、上記報知光を発光させない（発光を中止する）ようにしたことから、前述したように報知光の光量が微少であってもそれが周囲に迷惑となるような状況下や場所では、ユーザーがストロボモードをＯＦＦモードに設定しておけば、支障なくオートシャッターモードによる自動撮影を行うことができ、使い勝手もよい。
【００４７】
ここで、本実施形態では、非ストロボ撮影時であってもストロボモードがＡＵＴＯモードでない場合には報知光を発光させないようにしたが、非ストロボ撮影時には常に報知光を発光させるようにしても構わない。その場合、報知光の発光量を、調光発光時の制御範囲よりも少ない範囲で、ストロボモードがＡＵＴＯモードである場合には「大」に設定し、ＯＦＦモードである場合には「小」に設定し、発光量の異なる２種類の報知光で撮影が行われたことを知らせるようにしてもよい。いずれの場合においても非ストロボ撮影時には常に報知光を発光させる場合については、本実施形態のようにハーフシャッターが押されている間に複数回の自動撮影を行うものでは、自動撮影が行われた回数も知らせることができる。
【００４８】
また、本実施形態では、報知光の発光を非ストロボ撮影時における露光期間の終了後に行うものについて説明したが、報知光の光量を露出に影響を及ぼさない範囲内の発光量に制御できる構成であれば、報知光の発光を露光期間内に行うようにしても構わない。また、報知光の発光を非ストロボ撮影時における露光期間の終了後に行う場合であれば、報知光の光量は任意に設定できるが、本実施形態のように報知光の光量を微少とすれば、ストロボ撮影時のストロボ光との差別化を図ることにより、撮影される側の者に対して自動撮影が行われたとの印象をより強く与えることができる。
【００４９】
また、本実施形態においては、オートシャッターモードでは、ハーフシャッターが押されている間に、被写体内に笑顔が検出できる毎に（笑顔が検出されている間）、繰り返し自動撮影を行うものについて説明したが、本発明は、例えば自動撮影を１回だけ行うオートシャッターモードを有するものにも適用することができる。
【００５０】
また、本実施形態では、自動撮影機能として、フレーム内に存在する任意の人物の笑顔を検出し、それが検出できたことをトリガとして自動的に撮影動作を行うものについて説明したが、本発明は、例えば単にフレーム内に存在する任意の人物の顔や、予め登録してある人物の顔、さらにはフレーム内に存在する動体を検出し、それが検出できたことをトリガとして自動的に撮影動作を行うものにも適用することができる。
【００５１】
また、本発明の発光手段としてキセノン管等の発光管を含むストロボ回路８を有するデジタルカメラについて説明したが、本発明は、ＬＥＤを発光源とするＬＥＤストロボを有するデジタルカメラに適用することができる。また、本発明は、通常のデジタルカメラに限らず、例えばカメラ付きの携帯電話端末等の静止画撮影機能を有する他のカメラ装置にも適用することができる。
【図面の簡単な説明】
【００５２】
【図１】本発明に係るデジタルカメラのブロック図である。
【図２】オートシャッターモードでの制御部の処理手順を示すフローチャートである。
【図３】図２に続くフローチャートである。
【図４】調光発光時（ａ）と微少発光時（ｂ）とにおけるストロボ光の発光タイミング及び発光時間の違いを示すタイミングチャートである。
【符号の説明】
【００５３】
１    ＣＣＤ
２    撮影処理部
３    制御部
４    ファイルアクセス部
５    画像記録部
６    ＬＣＤ表示部
７    キー入力部
８    ストロボ回路
９    画像認識処理部
１０    プログラムメモリ
１１    ＲＡＭ
【図１】
2010016686.tif 000003
【図２】
2010016686.tif 000004
【図３】
2010016686.tif 000005
【図４】
2010016686.tif 000006